(57)【要約】【課題】受枠の設置高さを地表面レベルを基準として容易に調整でき、しかもコンパクトで軽量な受枠吊り装置を提供すること。【解決手段】受枠５０の中央上方に配置される中央支持部１０と、この中央支持部１０に一端を支持されて上下方向に回動可能であり、上方向に回動させると放射状に開いて水平に展開した状態となり、下方向に回動させると中央支持部１０の下方位置で閉じた状態となる３本以上のアーム２０と、各アーム２０に取り付けられ、各アーム２０を開いて水平に展開したときに各アーム２０の下方位置で受枠５０を吊り下げる吊り具３０と、中央支持部１０の上方に取り付けられ、各アーム２０を水平に展開した状態に保持するアーム保持具４０とを備えた受枠吊り装置である。【選択図】図５
0003133899.tif 000002
【実用新案登録請求の範囲】
【請求項１】
地下構造物用蓋の受枠を水平状態で吊り下げて支持する受枠吊り装置であって、
受枠の中央上方に配置される中央支持部と、
この中央支持部に一端を支持されて上下方向に回動可能であり、上方向または下方向に回動させると放射状に開いて水平に展開した状態となり、逆方向に回動させると中央支持部の下方位置または上方位置で閉じた状態となる３本以上のアームと、
各アームに取り付けられ、各アームを開いて水平に展開したときに各アームの下方位置で受枠を吊り下げる吊り具と、
中央支持部の上方または下方に取り付けられ、各アームを水平に展開した状態に保持するアーム保持具とを備えた受枠吊り装置。
【請求項２】
アーム保持具が、その底面に各アームの一端上面または一端下面を面接触させることにより各アームを水平に展開した状態に保持するものである請求項１に記載の受枠吊り装置。
【請求項３】
アーム保持具が、中央支持部に螺合するボルト部を有し、このボルト部を介して中央支持部の上方に上下動可能に取り付けられており、アーム保持具を上昇させると各アームが上下方向に回動可能となり、各アームを水平に展開した状態でアーム保持具を下降させてその底面に各アームの一端上面を面接触させることにより各アームを水平に展開した状態に保持し、各アームを閉じた状態でアーム保持具を下降させてその底面に各アームの一端側面を面接触させることにより各アームを閉じた状態に保持する請求項１に記載の受枠吊り装置。
【請求項４】
アームの長手方向における吊り具の取り付け位置が変更可能である請求項１〜３のいずれかに記載の受枠吊り装置。
【請求項５】
アームと受枠上端面との間またはアームと地表面との間に介在させるスペーサを備えた請求項１〜４のいずれかに記載の受枠吊り装置。
【考案の詳細な説明】
【技術分野】
【０００１】
本考案は、地下構造物用蓋の受枠の設置高さを地表面レベルを基準として所定の高さに調整する際に使用する受枠吊り装置に関し、より詳しくは、その設置施工時に受枠を水平状態で吊り下げて支持する受枠吊り装置に関する。
【０００２】
なお、本願明細書でいう「地下構造物用蓋」とは、下水道における地下埋設物，地下構造施設等と地上とを通じる開口部を閉塞するマンホール蓋，大型鉄蓋，汚水桝蓋、電力・通信における地下施設機器や地下ケーブル等を保護する開閉可能な共同溝用鉄蓋，送電用鉄蓋，配電用鉄蓋、上水道やガス配管における路面下の埋設導管およびその付属機器と地上とを結ぶ開閉扉としての機能を有する消火栓蓋，制水弁蓋，仕切弁蓋，空気弁蓋，ガス配管用蓋，量水器蓋等を総称する。
【背景技術】
【０００３】
各種の地下構造物用蓋は、マンホール等の地下構造物の上端に設置される受枠と、これに支持される蓋本体とからなり、その設置施工時には、受枠の設置高さを地表面レベルを基準として所定の高さに調整する。
【０００４】
受枠の設置高さ調整方法としては、地下構造物の上端に設置された３本のアンカーボルトのそれぞれにねじ式の調整駒を取り付け、その上に受枠を載せ、各調整駒を回転させることで設置高さを調整する方法が普及しているが、この方法によってもほとんどの場合には、地表面に基準となる水糸を張り、それに合わせて手作業で微調整を行う必要があった。
【０００５】
しかし、この手作業による微調整は、３本のアンカーボルトに取り付けられた各調整駒を、受枠を載せた状態で１個ずつ回転させることによって行うため、調整に時間を要し、また作業者の肉体的負担も大きい。
【０００６】
これに対して、特許文献１には、鉄蓋ハンガーと称する受枠吊り装置を使用して受枠を吊り、その設置高さを地表面レベルに合わせる方法が開示されている。この方法によれば、上述のような手作業による微調整を行うことなく、受枠の設置高さを地表面の高さに合わせることができる。
【０００７】
しかし、特許文献１の受枠吊り装置（鉄蓋ハンガー）は、受枠のサイズの見合う円形の接合プレートと、これに固定されて放射状に伸びる３本のアームを備えるため、サイズ、重量ともに非常に大きくなる。したがって、取り扱い性や持ち運び性に問題があり、また、保管時には大きなスペースが必要となる。
【特許文献１】特開平９−１４４０４５号公報
【考案の開示】
【考案が解決しようとする課題】
【０００８】
本考案が解決しようとする課題は、受枠の設置高さを地表面レベルを基準として容易に調整でき、しかもコンパクトで軽量な受枠吊り装置を提供することにある。
【課題を解決するための手段】
【０００９】
本考案の受枠吊り装置は、地下構造物用蓋の受枠を水平状態で吊り下げて支持する受枠吊り装置であって、受枠の中央上方に配置される中央支持部と、この中央支持部に一端を支持されて上下方向に回動可能であり、上方向または下方向に回動させると放射状に開いて水平に展開した状態となり、逆方向に回動させると中央支持部の下方位置または上方位置で閉じた状態となる３本以上のアームと、各アームに取り付けられ、各アームを開いて水平に展開したときに各アームの下方位置で受枠を吊り下げる吊り具と、中央支持部の上方または下方に取り付けられ、各アームを水平に展開した状態に保持するアーム保持具とを備えたものである。
【００１０】
このように本考案の受枠吊り装置では、中央支持部に各アームを上下方向に回動可能に支持しており、中央支持部は、前記特許文献１の受枠吊り装置の接合プレートのように受枠のサイズに見合う大きさとする必要はなく、各アームを支持できる程度の必要最小限の大きさとすることができるので、全体としてコンパクトにでき、軽量化も図ることができる。また、各アームは使用時にのみ開いて水平に展開した状態にすればよいので、取り扱い性や持ち運び性も向上し、保管も小さなスペースで行うことができる。
【００１１】
本考案において、各アームを水平に展開した状態に保持するアーム保持具は、その底面に各アームの一端上面または一端下面を面接触させることにより各アームを水平に展開した状態に保持するように構成することができる。
【００１２】
好ましくは、アーム保持具は、中央支持部に螺合するボルト部を介して中央支持部の上方に上下動可能に取り付けられ、アーム保持具を上昇させると各アームが上下方向に回動可能となり、各アームを水平に展開した状態でアーム保持具を下降させてその底面に各アームの一端上面を面接触させることにより各アームを水平に展開した状態に保持し、各アームを閉じた状態でアーム保持具を下降させてその底面に各アームの一端側面を面接触させることにより各アームを閉じた状態に保持するように構成する。このような構成とすることで、使用時に各アームを水平に展開した状態に確実に保持できるだけでなく、不使用時には各アームを閉じた状態に保持できるので、持ち運びや保管時に便利である。
【００１３】
また、本考案においては、アームの長手方向における吊り具の取り付け位置を変更可能とすることが好ましい。これによって、受枠のサイズに合わせて吊り具の位置を変更することが可能となり、１つの受枠吊り具によって複数サイズの受枠に対応可能となる。なお、前記特許文献１の受枠吊り装置（鉄蓋ハンガー）では、接合プレートのサイズが受枠のサイズに見合うものでなければならないので、使用可能な受枠のサイズが限定される。
【００１４】
さらに、本考案においては、アームと受枠上端面との間またはアームと地表面との間にスペーサを介在させ、受枠の設置高さを調整可能とすることができる。スペーサを介在させない場合、各アームの下面に受枠上端面が接触するように受枠を固定し、各アームの先端側の下面を地表面に載置することで、受枠の設置高さを地表面レベルに一致させるが、アームと受枠上端面との間にスペーサを介在させることで、受枠の設置高さをスペーサの厚み分だけ地表面レベルよりも下方に調整することができる。また、アームと地表面との間にスペーサを介在させることで、受枠の設置高さをスペーサの厚み分だけ地表面レベルよりも上方に調整することができる。
【考案の効果】
【００１５】
本考案の受枠吊り装置によれば、受枠の設置高さを地表面レベルを基準として容易に調整でき、しかもコンパクトで軽量に構成できるので、取り扱い性や持ち運び性も向上し、保管も小さなスペースで行うことができる。
【考案を実施するための最良の形態】
【００１６】
以下、図面に示す実施例に基づき本考案の実施の形態を説明する。
【実施例１】
【００１７】
図１は、本考案に係る受枠吊り装置の第１実施例を示す斜視図である。
【００１８】
図１に示す受枠吊り装置は、受枠の中央上方に配置されることになる中央支持部１０と、この中央支持部１０に一端を支持された３本のアーム２０と、各アーム２０に取り付けられた吊り具３０と、各アーム２０を図１のように水平に展開した状態に保持するアーム保持具４０を備える。
【００１９】
図２は図１に示す受枠吊り装置の要部の分解斜視図である。
【００２０】
中央支持部１０は、支持ナット１７を中心にして、略Ｖ字状の３枚の支持プレート１１をボルト１２ａナット１２ｂおよびスペーサ１２ｃを用いてレール状に組み立て、これを上プレート１３と下プレート１４とで挟み、３組のボルト１５ａおよびナット１５ｂによって固定することによって構成されている。
【００２１】
アーム２０は角型のパイプからなり、その一端が中央支持部１０の支持プレート１１，１１間に配置され、ボルト１６ａおよびナット１６ｂによって中央支持部１０に上下方向に回動可能に取り付けられている。各アーム２０には、その長手方向に沿って所定間隔を開けて複数の吊り具装着孔２１が設けられており、その１つに吊り具３０が装着されている。
【００２２】
吊り具３０は、吊り具装着孔２１に上下方向に移動可能に装着される吊り具本体３１と、これをアーム２０に取り付けるために吊り具本体３１に螺合する蝶ナット３２とからなり、吊り具本体３１の先端には、受枠を係合させるための係合部３１ａが設けられている。吊り具３０を装着する吊り具装着孔２１は、吊り下げようとする受枠のサイズに応じて選択される。言い換えれば、吊り具３０を装着する吊り具装着孔２１の位置を変更することにより、異なるサイズの受枠に対応可能となる。
【００２３】
上述のとおり、アーム２０はその一端を中央支持部１０に支持されて上下方向に回動可能であり、各アーム２０を上方向に回動させ、後述するアーム保持具４０を下降させることによって、図１のように放射状に開いて水平に展開した状態となり、また、アーム保持具４０を上昇させた後、下方向に回動させると中央支持部１０の下方位置で閉じた状態となる。
【００２４】
アーム保持具４０は、円盤状の押さえプレート４１と、その中央に固定されて下方に突出するボルト部４２とを備える。ボルト部４２は中央支持部１０の中央に固定された支持ナット１７に螺合され、これよって押さえプレート４１が中央支持部１０の上方に上下動可能に取り付けられている。また、押さえプレート４１の上面には操作用の取っ手４３が設けられている。
【００２５】
図３は、アーム保持具４０によって各アーム２０を水平に展開した状態に保持している状態を示す正面図である。同図に示すように、各アーム２０を水平に展開した状態で取っ手４３を回転操作してアーム保持具４０を下降させると、その押さえプレート４１が各アーム２０の一端上面に面接触するので、各アーム２０は水平に展開した状態に保持される。
【００２６】
一方、図４は、アーム保持具４０によって各アーム２０を中央支持部１０の下方位置で閉じた状態に保持している状態を示す正面図である。例えば、図３の状態から取っ手４３を回転操作してアーム保持具４０を上昇させると、その押さえプレート４１が各アーム２０の一端上面に面接触しなくなるので、各アーム２０は上下方向に回動自在となり、下方向に回動させると中央支持部１０の下方位置で閉じた状態となる。この状態で、取っ手４３を回転操作してアーム保持具４０を下降させると、図４に示すように、その押さえプレート４１が各アーム２０の一端側面に面接触するので、各アーム２０は閉じた状態に保持される。
【００２７】
なお、各アーム２０は、上述のとおり、その一端が中央支持部１０の支持プレート１１，１１間に配置され、ボルト１２ａおよびナット１２ｂによって取り付けられているので、上下方向にのみ回動し、横方向に回動したり傾いたりすることはない。したがって、図３および図４で説明したように、アーム保持具４０の押さえプレート４１を各アーム２０の一端上面または一端側面に面接触させるだけで、各アーム２０を展開した状態または閉じた状態に確実に保持できる。
【００２８】
本実施例では、アーム保持具４０を中央支持部１０の上方に取り付ける構成としたが、中央支持部１０の下方に取り付ける構成としてもよい。この場合、アーム保持具の底面を各アームの一端下面に面接触させることにより、各アームを水平に展開した状態に保持する。
【００２９】
以上の構成を備えた本考案の受枠吊り具について、その使用方法を以下に説明する。
【００３０】
図５は、本考案の受枠吊り具の使用状態を示す斜視図である。まず、各アーム２０を開いて水平に展開した状態に保持し（図３の状態）、中央支持部１０を受枠５０の中央上方に配置して、各アーム２０を受枠５０の上端面に載置する。そして、各アーム２０に取り付けられている吊り具３０の係合部３１ａを受枠５０の下部フランジ５１に下方から係止させ、蝶ナット３２を締め込むことにより、各アーム２０の下方位置で受枠５０を吊り下げる。これによって、受枠５０はその上端面が各アーム２０の下面に当接した状態で支持され、各アーム２０の下方位置で安定して吊り下げられる。
【００３１】
次に、受枠５０をマンホール等の地下構造物６０の上端に設置するため、受枠５０を吊り下げた受枠吊り具を地下構造物６０の上端に移動させる。図６は、このように受枠吊り具を使用して受枠５０を地下構造物６０の上端に設置した状態を示す断面図、図７はその要部を示す断面図である。
【００３２】
図６および図７に示すように、各アーム２０を地表面ＧＬ上に載置することにより、受枠５０の上端面を地表面レベルに容易に一致させることができる。なお、図６および図７には示していないが、通常、地下構造物６０の上端には通常、３本のアンカーボルトが設置され、このアンカーボルトに受枠５０を固定する際に各アンカーボルトにねじ式の調整駒を取り付ける場合が多い。この場合、図６および図７に示すようにして受枠５０の設置高さを地表面レベルに一致させた後、調整駒を受枠５０の下部フランジ５１下面に当接するまで上昇させ、受枠５０を調整駒によって支持するようにする。これによって、受枠５０は、その設置高さが地表面レベルに一致した状態で位置決めされ、その後、受枠吊り具は受枠５０から取り外される。なお、受枠５０から取り外した受枠吊り具については、図４を参照して説明した要領で各アーム２０を閉じた状態とすることができる。
【００３３】
上述の図６および図７の例では、受枠５０の設置高さを地表面レベルと一致させるようにしたが、スペーサを使用することにより、受枠５０の設置高さを地表面レベルよりも上方あるいは下方に調整することができる。
【００３４】
図８は、スペーサの一例を示す斜視図である。同図に示すスペーサ７０は、厚みの異なる第１スペーサ部７１および第２スペーサ部７２を備える。また、スペーサ７０の内部には磁石７３が埋設されており、アームを軟磁性材料で構成しておけば、スペーサ７０をアームの任意の位置に取り付けることができる。
【００３５】
図９は、スペーサ７０の使用例を示す断面図である。この例では、スペーサ７０の第２スペーサ部７２をアーム２０下面と地表面ＧＬとの間に介在させている。これによって、受枠５０の設置高さを第２スペーサ部７２の厚み分だけ地表面レベルよりも上方に調整することができる。第２スペーサ部７２に代えて第１スペーサ部７１を介在させるようにすれば、受枠５０の設置高さを第１スペーサ部７１の厚み分だけ地表面レベルよりも上方に調整することができる。
【００３６】
図１０は、スペーサ７０の他の使用例を示す断面図である。この例では、スペーサ７０の第２スペーサ部７２をアーム２０下面と受枠５０上端面との間に介在させている。これによって、受枠５０の設置高さを第２スペーサ部７２の厚み分だけ地表面レベルよりも下方に調整することができる。第２スペーサ部７２に代えて第１スペーサ部７１を介在させるようにすれば、受枠５０の設置高さを第１スペーサ部７１の厚み分だけ地表面レベルよりも下方に調整することができる。
【００３７】
図１１はスペーサの他の例を示す斜視図である。同図に示すスペーサ８０はコ字型に形成されており、その各辺が、厚みの異なる第１スペーサ部８１、第２スペーサ部８２および第３スペーサ部８３となっている。このスペーサ８０は、その一端の開口部からアームをくわえ込むようにしてアームに装着され、アームに装着する向きを変えることにより、第１スペーサ部８１、第２スペーサ部８２および第３スペーサ部８３のいずれかを選択して使用することができる。
【００３８】
図１２はスペーサのさらに他の例を示し、（ａ）は正面図、（ｂ）は側面図である。同図に示すスペーサ９０は、円柱状のスペーサ本体９１をアーム２０の先端に回転可能に設けたもので、その回転軸９２を偏心位置に設けることにより、回転角度に応じてスペーサ本体９１のアーム２０下面からの突出量を変化させるようにしたものである。これによって、受枠の設置高さをスペーサ本体９１のアーム２０下面からの突出量の分だけ地表面レベルよりも上方に調整することができる。なお、スペーサ本体９１の回転角度は、ねじ込み式の固定具９３によって固定するようにしている。
【実施例２】
【００３９】
図１３は、本考案に係る受枠吊り装置の第２実施例を示し、（ａ）はアームを閉じた状態の要部の正面図、（ｂ）はアームを水平に展開した状態の要部の正面図である。
【００４０】
この実施例では、中央支持部１１０に３本のアーム１２０の一端が軸支されており、これによって各アーム１２０は上下方向にのみ回動可能となっている。また、中央支持部１１０の側面には、アーム１２０を下方向に回動させて水平に展開した状態とすることができるように切欠き１１１が設けられている。
【００４１】
アーム１２０を水平に展開した状態に保持する際には、図１３（ｂ）に示すように、ねじ込み式のアーム保持具１４０を中央支持部１１０に装着することにより、アーム保持具１４０の底面を各アーム１２０の一端上面に面接触させる。アーム保持具１４０を取り外せば、図１３（ａ）に示すように各アーム１２０を上方向に回動させて中央支持部１１０の上方位置で閉じることができる。
【００４２】
図１４は、この実施例におけるアーム部分の構成を示す正面図である。アーム１２０の本体部分は丸棒状に形成されており、その途中に吊り具１３０が取り付けられている。
【００４３】
吊り具１３０は、アーム１２０の長手方向に沿って移動可能に取り付けられる吊り具本体１３１と、これをアーム１２０に固定するねじ込み式の固定具１３２と、吊り具本体１３１に取り付けられる係合具１３３とからなる。係合具１３３は吊り具本体１３１の軸部に外挿されており、その軸線に沿って上下方向に移動可能かつ軸線周りに回転可能である。この係合具１３３は、レバー１３３ａを締め込むことにより、吊り具本体１３１に固定される。係合具１３３の先端には受枠を係合させるための係合部１３３ｂが設けられている。
【００４４】
また、アーム１２０には２種類のスペーサ１５０，１６０が取り付けられている。スペーサ１５０はアーム１２０の長手方向に沿って移動可能に取り付けられており、ねじ込み式の固定具１５４によってアーム１２０に固定される。このスペーサ１５０は厚みの異なる第１スペーサ部１５１、第２スペーサ部１５２および第３スペーサ部１５３を備える。一方、スペーサ１６０はアーム１２０に螺合されており、アーム１２０下面からの突出量を変化させるようにしたものである。
【００４５】
図１５は、この実施例の受枠吊り装置の使用状態を示す要部の断面図である。
【００４６】
まず、各アーム１２０を開いて水平に展開した状態に保持し（図１３（ｂ）の状態）、各アーム１２０を受枠５０の上端面に載置する。そして、各アーム１２０に取り付けられている吊り具１３０の吊り具本体１３１の位置を受枠５０のサイズに合わせて調整し、固定具１３２で固定した上で、吊り具本体１３１に取り付けられている係合具１３３先端の係合部１３３ｂを受枠５０のアンカー孔５２に挿入し、受枠５０の下面に係合させる。なお、受枠５０のアンカー孔５２は長孔であるので、係合具１３３先端の係合部１３３ｂもそれに見合った形状とし、アンカー孔５２に挿入して通過させた後に係合具１３３を回転させて受枠５０の下面に係合させる。その後、係合具１３３の高さ調整を行い、レバー１３３ａを締め込むことにより係合具１３３を固定する。これによって、受枠５０はその上端面が各アーム１２０の下面に当接した状態で支持され、各アーム１２０の下方位置で安定して吊り下げられる。その後、図１５に示すように、各アーム１２０を地表面ＧＬ上に載置することにより、受枠５０の上端面を地表面レベルに一致させることができる。
【００４７】
なお、受枠５０の設置高さを地表面レベルよりも下方に調整する場合には、アーム１２０の下面と受枠５０の上端面との間にスペーサ１５０を介在させる。また、受枠５０の設置高さを地表面レベルよりも上方に調整する場合には、スペーサ１６０の先端をアーム１２０の下面から突出させ、地表面ＧＬとの間に介在させる。
【００４８】
図１６は、この実施例に適用可能なスペーサの他の例を示す斜視図である。スペーサ１７０は、その貫通孔１７１にアーム１２０を挿入することにより、アーム１２０の軸線周りに回転可能に取り付けられ、ねじ込み式の固定具１７５によってアーム１２０に固定する。貫通孔１７１の周りは、それぞれ厚みの異なる第１スペーサ部１７２、第２スペーサ部１７３および第３スペーサ部１７４となっている。すなわち、スペーサ１７０をアーム１２０の周りに回転させることにより、第１スペーサ部１７２、第２スペーサ部１７３および第３スペーサ部１７４のいずれかを選択して使用する。
【図面の簡単な説明】
【００４９】
【図１】本考案に係る受枠吊り装置の第１実施例を示す斜視図である。
【図２】図１に示す受枠吊り装置の要部の分解斜視図である。
【図３】アーム保持具によって各アームを水平に展開した状態に保持している状態を示す正面図である。
【図４】アーム保持具によって各アームを中央支持部の下方位置で閉じた状態に保持している状態を示す正面図である。
【図５】受枠吊り具の使用状態を示す斜視図である。
【図６】受枠吊り具を使用して受枠を地下構造物の上端に設置した状態を示す断面図である。
【図７】図６の要部の断面図である。
【図８】スペーサの一例を示す斜視図である。
【図９】スペーサの使用例を示す断面図である。
【図１０】スペーサの他の使用例を示す断面図である。
【図１１】スペーサの他の例を示す斜視図である。
【図１２】スペーサのさらに他の例を示し、（ａ）は正面図、（ｂ）は側面図である。
【図１３】本考案に係る受枠吊り装置の第２実施例を示し、（ａ）はアームを閉じた状態の要部の正面図、（ｂ）はアームを水平に展開した状態の要部の正面図である。
【図１４】図１３に示す受枠吊り装置におけるアーム部分の構成を示す正面図である。
【図１５】図１３に示す受枠吊り装置の使用状態を示す要部の断面図である。
【図１６】図１３に示す受枠吊り装置に適用可能なスペーサの他の例を示す斜視図である。
【符号の説明】
【００５０】
１０  中央支持部
１１  支持プレート
１２ａ  ボルト
１２ｂ  ナット
１２ｃ  スペーサ
１３  上プレート
１４  下プレート
１５ａ  ボルト
１５ｂ  ナット
１６ａ  ボルト
１６ｂ  ナット
１７  支持ナット
２０  アーム
２１  吊り具装着孔
３０  吊り具
３１  吊り具本体
３１ａ  係合部
３２  蝶ナット
４０  アーム保持具
４１  押さえプレート
４２  ボルト部
４３  取っ手
５０  受枠
５１  下部フランジ
５２  アンカー孔
６０  地下構造物
７０  スペーサ
７１  第１スペーサ部
７２  第２スペーサ部
７３  磁石
８０  スペーサ
８１  第１スペーサ部
８２  第２スペーサ部
８３  第３スペーサ部
９０  スペーサ
９１  スペーサ本体
９２  回転軸
９３  固定具
１１０  中央支持部
１１１  切欠き
１２０  アーム
１３０  吊り具
１３１  吊り具本体
１３２  固定具
１３３  係合具
１３３ａ  レバー
１３３ｂ  係合部
１４０  アーム保持具
１５０  スペーサ
１５１  第１スペーサ部
１５２  第２スペーサ部
１５３  第３スペーサ部
１５４  固定具
１６０  スペーサ
１７０  スペーサ
１７１  貫通孔
１７２  第１スペーサ部
１７３  第２スペーサ部
１７４  第３スペーサ部
【図１】
0003133899.tif 000003
【図２】
0003133899.tif 000004
【図３】
0003133899.tif 000005
【図４】
0003133899.tif 000006
【図５】
0003133899.tif 000007
【図６】
0003133899.tif 000008
【図７】
0003133899.tif 000009
【図８】
0003133899.tif 000010
【図９】
0003133899.tif 000011
【図１０】
0003133899.tif 000012
【図１１】
0003133899.tif 000013
【図１２】
0003133899.tif 000014
【図１３】
0003133899.tif 000015
【図１４】
0003133899.tif 000016
【図１５】
0003133899.tif 000017
【図１６】
0003133899.tif 000018